(57)【要約】【課題】移動端末のゲート通過状態を容易且つ確実に検知することのできるゲート通過検知システムを提供する。【解決手段】本発明は、ゲート通過検知システムに関するものであり、移動端末ＳＴと、移動端末ＳＴが通過するゲート１４の内外に配設され、移動端末ＳＴと無線ＬＡＮによる通信を行う第１基地局ＡＰｉｎ及び第２基地局ＡＰｏｕｔと、第１基地局ＡＰｉｎ及び第２基地局ＡＰｏｕｔにネットワーク１６を介して接続され、移動端末ＳＴのゲート１４の通過状態を検知するゲート通過検知サーバ１８とを備え、移動端末ＳＴが第１基地局ＡＰｉｎ及び第２基地局ＡＰｏｕｔから受信したプローブ応答信号の各受信電力を比較することで、移動端末ＳＴのゲート１４の通過状態を判定する。【選択図】図１
2010268381.tif 000002
【特許請求の範囲】
【請求項１】
移動端末と、
前記移動端末が通過するゲートの一方側に配設され、前記移動端末と無線ＬＡＮによる通信を行う第１基地局と、
前記移動端末が通過する前記ゲートの他方側に配設され、前記移動端末と無線ＬＡＮによる通信を行う第２基地局と、
前記第１基地局及び前記第２基地局にネットワークを介して接続され、前記移動端末の前記ゲートの通過状態を検知するゲート通過検知サーバとを備え、
前記移動端末が前記第１基地局の通信エリア又は前記第２基地局の通信エリアに入った際、前記移動端末にプローブ応答信号を送信するプローブ応答信号送信部を有し、
前記移動端末は、前記第１基地局及び前記第２基地局から受信した前記プローブ応答信号の各受信電力を、前記第１基地局又は前記第２基地局を介して前記ゲート通過検知サーバに送信する受信電力送信部を有し、
前記ゲート通過検知サーバは、送信された前記各受信電力を比較することで、前記移動端末の前記ゲートの通過状態を判定する通過状態判定部を有することを特徴とするゲート通過検知システム。
【請求項２】
請求項１記載のゲート通過検知システムにおいて、
前記移動端末は、前記第１基地局及び前記第２基地局に対してプローブ要求信号を送信するプローブ要求信号送信部を有し、
前記プローブ応答信号送信部は、前記移動端末からの前記プローブ要求信号を受信した際、前記移動端末に前記プローブ応答信号を送信することを特徴とするゲート通過検知システム。
【請求項３】
請求項１記載のゲート通過検知システムにおいて、
前記通過状態判定部は、前記各受信電力を所定の閾値と比較することにより、前記移動端末が前記ゲートの一方側か、他方側か、又は、前記ゲートを通過中かを判定することを特徴とするゲート通過検知システム。
【発明の詳細な説明】
【技術分野】
【０００１】
本発明は、無線ＬＡＮにより基地局と通信を行う移動端末のゲート通過状態を検知するゲート通過検知システムに関する。
【背景技術】
【０００２】
無線ＬＡＮ（Ｌｏｃａｌ  Ａｒｅａ  Ｎｅｔｗｏｒｋ）は、有線ＬＡＮのようなＬＡＮケーブルの引き回しが不要であり、設備のレイアウト変更等に対して柔軟に対応することができるため、近年、様々なシステムに導入されている。
【０００３】
無線ＬＡＮを利用したシステムとしては、例えば、美術館や博物館に導入されている無線ガイドシステムや、病院の患者呼出システムを挙げることができる。無線ガイドシステムは、来場者に移動端末を貸し出し、特定の展示物等の周辺にいる来場者だけに移動端末からの音声や画像情報による案内を行うシステムである。また、患者呼出システムは、患者が来院し、受け付けを行った際、患者に移動端末を貸し出し、当該患者の診療時間になったとき、診療場所や診療科名等の情報を移動端末に提供して患者を呼び出すシステムである（特許文献１）。
【０００４】
患者呼出システムを例として説明する。図８は、患者呼出システムの概念図である。患者呼出システムは、病院内の複数の個所に設置された基地局（アクセスポイント）ＡＰ１、ＡＰ２、…ＡＰｎと、基地局ＡＰ１、ＡＰ２、…ＡＰｎにネットワーク２を介して接続された患者呼出サーバ４と、患者呼出サーバ４から基地局ＡＰ１、ＡＰ２、…ＡＰｎを介して送信される患者呼出信号を受信する移動端末（クライアント）ＳＴとを備える。
【０００５】
この患者呼出システムでは、患者が来院したとき、病院スタッフが患者情報を患者呼出サーバ４に登録し、移動端末ＳＴを患者個人に貸し出す。病院スタッフは、診療業務の進行状況を患者呼出サーバ４に随時入力する。患者呼出サーバ４は、診療業務の進行に従い、基地局ＡＰ１、ＡＰ２、…ＡＰｎを介して、呼出情報及び制御コマンドを移動端末ＳＴに送信する。移動端末ＳＴは、通信エリア内の基地局ＡＰ１、ＡＰ２、…ＡＰｎから呼出情報及び制御コマンドを受け取ると、音や振動等で患者に新着情報を知らせるとともに、移動端末ＳＴが有する表示部を用いて詳細情報を患者に知らせる。移動端末ＳＴからこれらの情報を受け取った患者は、移動端末ＳＴに備えられた応答スイッチを操作し、情報を受け取ったことを患者呼出サーバ４に知らせるとともに、指定された診療室に向かう等の必要な行動をとる。なお、この患者呼出システムは、薬剤の受け取りや会計時にも同様にして利用可能である。
【先行技術文献】
【特許文献】
【０００６】
【特許文献１】特開２００８−１４６２７４号公報
【発明の概要】
【発明が解決しようとする課題】
【０００７】
ところで、このような無線ＬＡＮを用いた患者呼出システムは、移動端末ＳＴを所持した患者の移動性が良いという利点がある反面、使用した移動端末ＳＴの返却を患者が亡失すると、移動端末ＳＴが病院外に持ち出されてしまう欠点がある。移動端末ＳＴが持ち出されてしまうと、患者呼出システムの一部が使用できなくなるため、運用効率が低下してしまう。
【０００８】
このような不具合を回避するため、例えば、基地局ＡＰ１、ＡＰ２、…ＡＰｎからビーコン信号を定期的に送信し、その信号を移動端末ＳＴで受信し、受信した信号の受信電力を計測する機能を利用することが考えられる。受信電力が予め設定した閾値以下になったときに、返却を要請するブザー等を鳴らせば、移動端末ＳＴが患者呼出システムの通信エリア外に持ち出されたものと判定することが可能である。
【０００９】
しかしながら、病院内の全ての場所で前記閾値を上回るような通信エリアを構築することは極めて困難である。なぜなら、柱の影や閉鎖空間（例えば、トイレ）等、電波の届きにくい場所が存在するからである。上記の機能では、患者がこのような場所にいるとき、無用にブザーが鳴ってしまう。
【００１０】
また、無線ＬＡＮの電波は、障害物が少なければ数百ｍも届く場合がある。つまり，病院から数百ｍ離れてから初めて返却要請のブザーが鳴ることも考えられる。移動端末ＳＴを返却するためだけに長い距離を戻るのは、患者にとって極めて煩わしいことである。特に、車で通院しているような場合、返却要請のブザーが鳴ったときには、既に駐車場を出てしまっており、再び病院に戻ることが事実上困難であることが多々ある。
【００１１】
このように，従来のシステムでは、移動端末ＳＴが特定の場所から離れたことを確実に検知することが困難であった。
【００１２】
本発明は、前記の不具合を解消するためになされたものであって、基地局と移動端末との間で無線ＬＡＮによる通信を行うシステムにおいて、移動端末のゲート通過状態を容易且つ確実に検知することのできるゲート通過検知システムを提供することを目的とする。
【課題を解決するための手段】
【００１３】
本発明に係るゲート通過検知システムは、移動端末と、前記移動端末が通過するゲートの一方側に配設され、前記移動端末と無線ＬＡＮによる通信を行う第１基地局と、前記移動端末が通過する前記ゲートの他方側に配設され、前記移動端末と無線ＬＡＮによる通信を行う第２基地局と、前記第１基地局及び前記第２基地局にネットワークを介して接続され、前記移動端末の前記ゲートの通過状態を検知するゲート通過検知サーバとを備え、前記移動端末が前記第１基地局の通信エリア又は前記第２基地局の通信エリアに入った際、前記移動端末にプローブ応答信号を送信するプローブ応答信号送信部を有し、前記移動端末は、前記第１基地局及び前記第２基地局から受信した前記プローブ応答信号の各受信電力を、前記第１基地局又は前記第２基地局を介して前記ゲート通過検知サーバに送信する受信電力送信部を有し、前記ゲート通過検知サーバは、送信された前記各受信電力を比較することで、前記移動端末の前記ゲートの通過状態を判定する通過状態判定部を有することを特徴とする。
【００１４】
前記ゲート通過検知システムにおいて、前記移動端末は、前記第１基地局及び前記第２基地局に対してプローブ要求信号を送信するプローブ要求信号送信部を有し、前記プローブ応答信号送信部は、前記移動端末からの前記プローブ要求信号を受信した際、前記移動端末に前記プローブ応答信号を送信することを特徴とする。
【００１５】
前記ゲート通過検知システムにおいて、前記通過状態判定部は、前記各受信電力を所定の閾値と比較することにより、前記移動端末が前記ゲートの一方側か、他方側か、又は、前記ゲートを通過中かを判定することを特徴とする。
【発明の効果】
【００１６】
本発明のゲート通過検知システムでは、ゲートの一方側と他方側とにそれぞれ基地局を配設し、ゲートを移動端末が通過する際に各基地局から受信したプローブ応答信号の受信電力を比較することで、移動端末のゲート通過状態を容易且つ確実に検知することができる。また、移動端末がゲートの一方側か、他方側か、又は、ゲートを通過中かを判定することができる。この判定結果に基づき、移動端末の移動方向を検知することも可能となる。
【図面の簡単な説明】
【００１７】
【図１】本実施形態のゲート通過検知システムの構成図である。
【図２】本実施形態のゲート通過検知システムを構成するゲート近傍に配設した基地局による通信エリアの説明図である。
【図３】本実施形態のゲート通過検知システムにおいて、移動端末の位置と、各基地局から受信したプローブ応答信号の受信電力との関係説明図である。
【図４】本実施形態のゲート通過検知システムを構成する移動端末、基地局及びゲート通過検知サーバの構成ブロック図である。
【図５】本実施形態のゲート通過検知システムを構成する移動端末の動作フローチャートである。
【図６】本実施形態のゲート通過検知システムを構成するゲート通過検知サーバの動作フローチャートである。
【図７】本実施形態のゲート通過検知システムにおける移動端末の位置判定テーブルの説明図である。
【図８】先行技術に係る患者呼出システムの構成図である。
【発明を実施するための形態】
【００１８】
以下、本発明の実施形態について図面を参照して説明する。
【００１９】
図１は、本実施形態のゲート通過検知システム１０の構成図である。ゲート通過検知システム１０は、例えば、病院１２内に構築される患者呼出システムとネットワークが共有される。病院１２の内と外は、例えば、病院１２の入り口のゲート１４によって仕切られる。
【００２０】
ゲート通過検知システム１０は、患者が所持する移動端末ＳＴと、ゲート１４の内側（病院内）に配設されるゲート通過検知用の基地局ＡＰｉｎ（第１基地局）と、ゲート１４の外側（病院外）に配設されるゲート通過検知用の基地局ＡＰｏｕｔ（第２基地局）と、基地局ＡＰｉｎ、ＡＰｏｕｔにネットワーク１６を介して接続され、移動端末ＳＴから送信される信号に従い、移動端末ＳＴを所持した患者のゲート１４の通過状態を検知するゲート通過検知サーバ１８とを備える。
【００２１】
また、ネットワーク１６には、病院内の各所、例えば、各診療科の近傍に配設される複数の基地局ＡＰ１、ＡＰ２、…、ＡＰｎと、移動端末ＳＴを所持した患者に対する呼出処理を行う患者呼出サーバ２０とが接続される。基地局ＡＰ１、ＡＰ２、…、ＡＰｎ、ＡＰｉｎ、ＡＰｏｕｔ及び患者呼出サーバ２０は、患者呼出システムを構成する。移動端末ＳＴと、基地局ＡＰ１、ＡＰ２、…、ＡＰｎ、ＡＰｉｎ、ＡＰｏｕｔとは、無線ＬＡＮによる通信を行う。
【００２２】
図２は、ゲート１４の内側（病院内）に配設される基地局ＡＰｉｎの通信可能な通信エリア２２と、ゲート１４の外側（病院外）に配設される基地局ＡＰｏｕｔの通信可能な通信エリア２４との説明図である。基地局ＡＰｉｎ、ＡＰｏｕｔは、各通信エリア２２、２４がゲート１４の近傍で重複する重複エリア２６を形成するように設置される。
【００２３】
ここで、通信エリア２２、２４及び重複エリア２６は、図３に示すように定義する。図３は、移動端末ＳＴが基地局ＡＰｉｎ、ＡＰｏｕｔから受信するプローブ応答信号の各位置での受信電力ＰＷｉｎ、ＰＷｏｕｔを示す。通信エリア２２、２４及び重複エリア２６は、移動端末ＳＴが通信限界Ｌｍｉｎを超える受信電力ＰＷｉｎ、ＰＷｏｕｔのプローブ応答信号を受信する範囲である。この範囲において、移動端末ＳＴは、基地局ＡＰｉｎ、ＡＰｏｕｔとリンクし、パケット通信が可能な状態となる。
【００２４】
図４は、ゲート通過検知システム１０を構成する移動端末ＳＴ、基地局ＡＰｉｎ、ＡＰｏｕｔ及びゲート通過検知サーバ１８の構成ブロック図である。
【００２５】
移動端末ＳＴは、制御部２８と、基地局ＡＰ１、ＡＰ２、…、ＡＰｎ、ＡＰｉｎ、ＡＰｏｕｔに対して無線ＬＡＮによる通信を行う通信部３０と、基地局ＡＰ１、ＡＰ２、…、ＡＰｎ、ＡＰｉｎ、ＡＰｏｕｔに送信するプローブ要求信号を生成するプローブ要求信号生成部３２と、基地局ＡＰ１、ＡＰ２、…、ＡＰｎ、ＡＰｉｎ、ＡＰｏｕｔから受信したプローブ応答信号に従って基地局ＡＰ１、ＡＰ２、…、ＡＰｎ、ＡＰｉｎ、ＡＰｏｕｔを判定する基地局判定部３４と、受信したプローブ応答信号の受信電力を計測する受信電力計測部３６と、プローブ応答信号を送信した基地局ＡＰ１、ＡＰ２、…、ＡＰｎ、ＡＰｉｎ、ＡＰｏｕｔのＩＤ情報を含む基地局情報及び計測したプローブ応答信号の受信電力を記憶するメモリ３８とを備える。また、移動端末ＳＴは、当該移動端末ＳＴを所持する患者が必要な操作を行う操作部４０、診療科等の指示情報や移動端末ＳＴの返却要請を含む必要な情報を表示する表示部４２、移動端末ＳＴの返却要請を含む必要な情報を報知するスピーカ４４を備える。
【００２６】
基地局ＡＰｉｎ、ＡＰｏｕｔは、制御部４６と、移動端末ＳＴに対して無線ＬＡＮによる通信を行う無線通信部４８と、移動端末ＳＴから送信されたプローブ要求信号に基づいてプローブ応答信号を生成するプローブ応答信号生成部５０と、プローブ要求信号を送信した移動端末ＳＴのＩＤ情報を含む移動端末情報、プローブ応答信号を送信した基地局ＡＰｉｎ、ＡＰｏｕｔのＩＤ情報を含む基地局情報、及び、移動端末ＳＴが計測した各基地局ＡＰｉｎ、ＡＰｏｕｔからのプローブ応答信号の受信電力を記憶するメモリ５２と、ネットワーク１６を介してゲート通過検知サーバ１８と通信を行う有線通信部５４とを備える。
【００２７】
ゲート通過検知サーバ１８は、制御部５６と、ネットワーク１６を介して基地局ＡＰｉｎ、ＡＰｏｕｔと通信を行う通信部５８と、基地局ＡＰｉｎ、ＡＰｏｕｔから受信した基地局情報及びプローブ応答信号の受信電力に基づいて移動端末ＳＴの位置を判定する移動端末位置判定部６０と、移動端末位置判定部６０による判定結果に基づいて移動端末ＳＴに対する返却要請信号を生成する返却要請信号生成部６２と、移動端末ＳＴの位置判定のための位置判定テーブルを含む情報を記憶するメモリ６４とを備える。
【００２８】
先ず、ゲート通過検知システム１０とネットワーク１６を共有する患者呼出システムの動作について説明する。
【００２９】
患者が病院に来院すると、病院スタッフは、患者名や診療科を含む患者情報を患者呼出サーバ２０に登録した後、移動端末ＳＴを患者に貸し出す。病院スタッフは、当該患者に対する診療業務の進行に従い、患者呼出サーバ２０に進行状況を随時入力する。
【００３０】
一方、患者が所持する移動端末ＳＴは、定期的にプローブ要求信号生成部３２でプローブ要求信号を生成し、通信部３０を介して送信する。基地局ＡＰ１、ＡＰ２、…、ＡＰｎ、ＡＰｉｎ又はＡＰｏｕｔは、移動端末ＳＴからプローブ要求信号を受信すると、診療業務の進行状況に応じた呼出情報を含むプローブ応答信号をプローブ応答信号生成部５０で生成し、通信部４０を介して移動端末ＳＴに送信する。プローブ応答信号を受信した移動端末ＳＴでは、プローブ応答信号に含まれる呼出情報に従い、次に移動すべき診療科等の指示情報が表示部４２に表示される。
【００３１】
所定の診療業務等が終了して帰宅する場合、患者は、移動端末ＳＴを病院に返却しなければならない。本実施形態のゲート通過検知システム１０では、移動端末ＳＴの返却亡失を事前に回避することができる。
【００３２】
そこで、ゲート通過検知システム１０の動作につき、図５及び図６に示すフローチャートに従って説明する。なお、図５は、移動端末ＳＴの動作フローチャートであり、図６は、ゲート通過検知サーバ１８の動作フローチャートである。
【００３３】
移動端末ＳＴは、患者呼出システムとして機能する場合と同様に、定期的にプローブ要求信号を送信する（ステップＳ１）。すなわち、移動端末ＳＴの制御部２８は、プローブ要求信号生成部３２を制御してプローブ要求信号を生成し、通信部３０を介してプローブ要求信号を外部に送信する。
【００３４】
移動端末ＳＴを所持した患者がゲート１４の近傍に配設された基地局ＡＰｉｎ又はＡＰｏｕｔの通信エリア２２又は２４内にいる場合（図２参照）、基地局ＡＰｉｎ又はＡＰｏｕｔの制御部４６は、無線通信部４８を介してプローブ要求信号を受信する。制御部４６は、プローブ要求信号を受信すると、プローブ応答信号生成部５０を制御してプローブ応答信号を生成する。生成されたプローブ応答信号は、無線通信部４８を介して移動端末ＳＴに送信される。なお、プローブ応答信号には、プローブ応答信号を生成した基地局ＡＰｉｎ又はＡＰｏｕｔを特定するための基地局情報（基地局固有のＩＤであるＢＳＳＩＤ（Ｂａｓｉｃ  Ｓｅｒｖｉｃｅ  Ｓｅｔ  Ｉｄｅｎｔｉｆｉｅｒ））と、ゲート通過検知システム１０を構成する通信グループを特定するための通信グループ情報（同一通信グループであることを示すＩＤであるＥＳＳＩＤ（Ｅｘｔｅｎｄｅｄ  Ｓｅｒｖｉｃｅ  Ｓｅｔ  Ｉｄｅｎｔｉｆｉｅｒ））とが含まれる。
【００３５】
移動端末ＳＴは、基地局ＡＰｉｎ又はＡＰｏｕｔからプローブ応答信号を受信すると（ステップＳ２）、基地局判定部３４により、受信したプローブ応答信号の通信グループ情報（ＥＳＳＩＤ）が移動端末ＳＴと一致する基地局ＡＰｉｎ又はＡＰｏｕｔからのプローブ応答信号であるか否かを確認する（ステップＳ３）。同一の通信グループである場合、基地局ＡＰｉｎ又はＡＰｏｕｔの基地局情報（ＢＳＳＩＤ）と、受信電力計測部３６により計測したプローブ応答信号の受信電力ＰＷとをメモリ３８に記憶する（ステップＳ４）。
【００３６】
移動端末ＳＴは、プローブ要求信号の周波数チャネルを変更しながら、ステップＳ１からの処理を繰り返す（ステップＳ５、Ｓ６）。この場合、基地局ＡＰｉｎ、ＡＰｏｕｔがいかなる周波数チャネルに設定されていても、プローブ要求信号を認識してプローブ応答信号を送信することができる。なお、基地局ＡＰｉｎ、ＡＰｏｕｔの周波数チャネルが既知の場合には、移動端末ＳＴ側で周波数チャネルを変更する必要がなく、従って、基地局情報（ＢＳＳＩＤ）及び受信電力ＰＷを収集するのに要する時間を短縮することができる。
【００３７】
次に、移動端末ＳＴの制御部２８は、メモリ３８に記憶された基地局ＡＰｉｎ又はＡＰｏｕｔからの情報をチェックし（ステップＳ７）、ステップＳ３で同一通信グループと判定された情報があり（ステップＳ８）、且つ、いずれの基地局ＡＰｉｎ又はＡＰｏｕｔともリンクしていない場合（ステップＳ９）、受信電力ＰＷが大きい方の基地局ＡＰｉｎ又はＡＰｏｕｔを選択してリンクする（ステップＳ１０）。
【００３８】
なお、移動端末ＳＴが既にリンク中である場合には、例えば、他の基地局ＡＰ１、ＡＰ２、…、ＡＰｎとの間で患者呼出処理が行われており、あるいは、既にゲート通過検知処理が行われているため、その処理が終了するまで待機することになる。このようなリンク処理を行うことにより、患者呼出システムやゲート通過検知システム１０等、複数のシステム間において、基地局ＡＰ１、ＡＰ２、…、ＡＰｎ、ＡＰｉｎ、ＡＰｏｕｔ及び移動端末ＳＴを共有することができる。
【００３９】
リンク先の基地局ＡＰｉｎ又はＡＰｏｕｔの基地局情報（ＢＳＳＩＤ）がゲート通過検知システム１０を構成する基地局ＡＰｉｎ又はＡＰｏｕｔであることが確認されると（ステップＳ１１）、移動端末ＳＴは、基地局情報（ＢＳＳＩＤ）及び受信電力ＰＷを、リンク先の基地局ＡＰｉｎ又はＡＰｏｕｔを介してゲート通過検知サーバ１８に送信する（ステップＳ１２）。
【００４０】
一方、移動端末ＳＴは、後述するように、ゲート通過検知サーバ１８によって移動端末ＳＴを所持した患者がゲート１４の外にいると判定され、移動端末ＳＴの返却要請信号を受信したとき（ステップＳ１３）、表示部４２及びスピーカ４４を介してゲート１４の外であることを通知し、移動端末ＳＴの返却を患者に促す（ステップＳ１４）。
【００４１】
次に、ゲート通過検知サーバ１８の動作について説明する。
【００４２】
ゲート通過検知サーバ１８は、ネットワーク１６を介して基地局情報（ＢＳＳＩＤ）及び受信電力ＰＷを受信すると（ステップＳ２１）、受信した情報に、ゲート１４の内側の基地局ＡＰｉｎからの基地局情報（ＢＳＳＩＤ）と、ゲート１４の外側の基地局ＡＰｏｕｔからの基地局情報（ＢＳＳＩＤ）とがあるか否かを確認する（ステップＳ２２、Ｓ２３）。両方の基地局ＡＰｉｎ及びＡＰｏｕｔからの基地局情報（ＢＳＳＩＤ）がある場合、これらの基地局情報（ＢＳＳＩＤ）及び受信電力ＰＷをメモリ６４に記憶させる（ステップＳ２４）。
【００４３】
次いで、移動端末位置判定部６０は、各受信電力ＰＷと予め設定した閾値Ｌｔｈとを比較し（ステップＳ２５）、メモリ６４に記憶されている位置判定テーブルを用いて移動端末ＳＴの位置を判定する（ステップＳ２６）。なお、閾値Ｌｔｈは、移動端末ＳＴが基地局ＡＰｉｎ、ＡＰｏｕｔとパケット通信可能な通信限界Ｌｍｉｎよりも大きな値として設定されるものとする。
【００４４】
図７は、移動端末ＳＴの位置判定のための位置判定テーブルを示す。図２、図３及び図７を用いて、移動端末ＳＴの位置を判定する方法を説明する。
【００４５】
基地局ＡＰｉｎ、ＡＰｏｕｔから送信されたプローブ応答信号の受信電力ＰＷをそれぞれＰＷｉｎ、ＰＷｏｕｔとすると、ＰＷｉｎ＜Ｌｔｈ、且つ、ＰＷｏｕｔ＜Ｌｔｈである場合、移動端末ＳＴは、通信エリア２２又は２４内に存在するが、不安定な状態であるため、その位置は不定と判定する。ＰＷｉｎ≧Ｌｔｈ、且つ、ＰＷｏｕｔ＜Ｌｔｈである場合、移動端末ＳＴは、通信エリア２２内に存在することが確実であるため、ゲート１４の内側に位置すると判定する。ＰＷｉｎ≧Ｌｔｈ、且つ、ＰＷｏｕｔ≧Ｌｔｈである場合、移動端末ＳＴは、通信エリア２２、２４が重複する重複エリア２６内に存在することが確実であるため、ゲート１４を通過中であると判定する。ＰＷｉｎ＜Ｌｔｈ、且つ、ＰＷｏｕｔ≧Ｌｔｈである場合、移動端末ＳＴは、通信エリア２４内に存在することが確実であるため、ゲート１４の外側に位置すると判定する。
【００４６】
ステップＳ２６での位置判定の結果、移動端末ＳＴがゲート１４の外側に位置するものと判定された場合（ステップＳ２７）、制御部５６は、患者が移動端末ＳＴを所持した状態で病院の外に移動しているものと判断し、返却要請信号生成部６２を制御して返却要請信号を生成する。生成された返却要請信号は、通信部５８から移動端末ＳＴがリンクしている基地局ＡＰｉｎ又はＡＰｏｕｔを介して、移動端末ＳＴに送信される（ステップＳ２８）。
【００４７】
返却要請信号を受信した移動端末ＳＴの制御部２８は、移動端末ＳＴの返却を要請する情報を表示部４２に表示させるとともに、スピーカ４４を駆動してブザーや音声を出力させることにより、移動端末ＳＴを所持したまま病院の外に出たことを患者に知らせ、移動端末ＳＴの返却を促す（ステップＳ１３、Ｓ１４）。この場合、患者は、基地局ＡＰｏｕｔの通信エリア２４の範囲内で移動端末ＳＴの返却を亡失していることを認識することができる。従って、移動端末ＳＴを速やかに返却することができる。
【００４８】
なお、ゲート通過検知サーバ１８は、移動端末ＳＴの位置判定結果に基づき、患者が所持している移動端末ＳＴが、ゲート１４の内側の通信エリア２２にあるのか、ゲート１４の外側の通信エリア２４にあるのか、あるいは、ゲート１４を通過中なのかを判定することができる。従って、例えば、移動端末ＳＴのゲート１４の近傍における位置を追跡することにより、移動端末ＳＴの移動方向を知ることもできる。
【００４９】
本発明は、上述した実施の形態に限定されるものではなく、本発明の主旨を逸脱しない範囲で変更することが可能である。
【００５０】
例えば、上述した実施形態では、１台の移動端末ＳＴのみを有するシステムについて説明したが、移動端末ＳＴを個別に識別可能であれば、複数台の移動端末ＳＴを有するシステムに適用することもできる。
【００５１】
また、本発明のゲート通過検知システムは、判定した移動端末の位置に基づき、例えば、美術館や博物館等において、特定のエリアで特定の情報を案内するシステムに応用し、また、車両に移動端末を搭載し、車両の位置を追跡するシステムにも応用することができる。
【符号の説明】
【００５２】
１０…ゲート通過検知システム
１２…病院
１４…ゲート
１６…ネットワーク
１８…ゲート通過検知サーバ
２０…患者呼出サーバ
２２、２４…通信エリア
２６…重複エリア
３２…プローブ要求信号生成部
３４…基地局判定部
３６…受信電力計測部
４２…表示部
４４…スピーカ
５０…プローブ応答信号生成部
６０…移動端末位置判定部
６２…返却要請信号生成部
ＡＰ１〜ＡＰｎ、ＡＰｉｎ、ＡＰｏｕｔ…基地局
ＳＴ…移動端末
【図１】
2010268381.tif 000003
【図２】
2010268381.tif 000004
【図３】
2010268381.tif 000005
【図４】
2010268381.tif 000006
【図５】
2010268381.tif 000007
【図６】
2010268381.tif 000008
【図７】
2010268381.tif 000009
【図８】
2010268381.tif 000010